(57)【要約】【課題】クリック機構の成形が容易で部品精度が高く、良好なクリック感を安定して実現する。【解決手段】充填部材４に対し軸線周り回転方向に係合すると共に螺合部９を構成する雌螺子部材５の少なくとも後側に向け開口した円筒部５ｔと、螺合部９を構成する移動体６に対し軸線周り回転方向に係合し且つ軸線方向に移動可能に係合する回転止め部材１６の少なくとも前側に向け開口した円筒部１６ｚとが、軸線方向に重なり合い係合するオーバーラップ区間を有する構成とし、雌螺子部材５の円筒部５ｔのオーバーラップ区間内に設けられ外側／内側に突設されたクリック歯部５ｓと、回転止め部材１６の円筒部１６ｚのオーバーラップ区間内に設けられ内側／外側に突設されたクリック歯部１６ｆとによりクリック機構を構成し、クリック歯部５ｓ，１６ｆ同士が、充填部材４、雌螺子部材５と回転止め部材１６、移動体６との相対回転に同期して係合しクリック感を付与する。【選択図】図１
2008206820.tif 000002
【特許請求の範囲】
【請求項１】
筒状を成して先端に開口を有し塗布材が充填された充填部材と、
外周面に雄螺子を有し前進することにより前記塗布材を押し出し前記開口から出現させる移動体と、
前記移動体の前記雄螺子と螺合する雌螺子を有し、前記充填部材に対し軸線周り回転方向に係合する雌螺子部材と、
前記移動体に対し軸線周り回転方向に係合し且つ軸線方向に移動可能に係合する形状部分を有する回転止め部材と、を具備し、
前記充填部材及び前記雌螺子部材と前記回転止め部材及び前記移動体とが相対回転することにより、前記雄螺子及び前記雌螺子より構成された螺合部が働き前記充填部材に対して前記移動体が移動する塗布材押出容器であって、
前記雌螺子部材は、少なくとも後側に向けて開口された円筒部を備え、
前記回転止め部材は、少なくとも前側に向けて開口され、前記雌螺子部材の前記円筒部に対し軸線方向に重なり合って係合するオーバーラップ区間を有するように配設された円筒部を備え、
前記オーバーラップ区間内であって前記雌螺子部材の前記円筒部から外側又は内側に突設されたクリック歯部が、前記オーバーラップ区間内であって前記回転止め部材の前記円筒部から内側又は外側に突設されて前記雌螺子部材の前記クリック歯部に対向するクリック歯部に係合することによって、前記相対回転に同期してクリック感を付与するクリック機構を有していることを特徴とする塗布材押出容器。
【請求項２】
前記螺合部とは別の螺合部を備え、
容器を構成する容器前部と容器後部との相対回転により、前記別の螺合部が働き前記充填部材が移動し、
さらなる同方向への相対回転により、前記螺合部が働き前記充填部材に対して前記移動体が移動し、
前記螺合部が働く際に前記クリック歯部同士が係合することを特徴とする請求項１記載の塗布材押出容器。
【請求項３】
前記雌螺子部材の前記クリック歯部又は前記回転止め部材の前記クリック歯部は、前記雌螺子部材と前記回転止め部材とが何れの相対的位置関係にあっても、相手側のクリック歯部に係合し得る軸線方向長寸法を有していることを特徴とする請求項２記載の塗布材押出容器。
【発明の詳細な説明】
【技術分野】
【０００１】
本発明は、塗布材を押し出して使用するための塗布材押出容器に関する。
【背景技術】
【０００２】
従来、塗布用充填物を押し出して使用するための塗布用充填物押出容器として、以下の特許文献１の技術が知られている。この特許文献１に記載の技術は、筒状を成して先端に吐出口を有し塗布用充填物が充填された充填部材と、外面に雄螺子を有し前進することにより塗布用充填物を押し出し吐出口から吐出させるピストン用移動体と、ピストン用移動体の雄螺子と螺合する雌螺子を有し、充填部材と回転方向及び前後方向に係合し一体化された充填部材用移動体と、ピストン用移動体の内部形状と回転方向に係合する外部形状を有し、ピストン用移動体と回り止め部を構成する軸体を備えた本体筒と、を具備し、容器後部を構成する本体筒と容器前部を構成する先筒とが一方向に相対回転されると、上記雄螺子及び上記雌螺子より構成された螺合部（第二の螺合部）が働き充填部材に対してピストン用移動体が前進して充填部材の吐出口から塗布用充填物が吐出され、一方、本体筒と先筒とが一方向の反対方向である他方向に相対回転されると、螺合部（第二の螺合部）が働き充填部材に対してピストン用移動体が後退するものである。
【０００３】
この塗布用充填物押出容器にあっては、ピストン用移動体は、当該ピストン用移動体の雄螺子を前後方向に横切ると共に周方向に並設されるクリック係合溝を備え、充填部材用移動体は、先端からスリットが設けられて周方向に沿って四分割され、対向する一方の分割片の円弧状の内周面に、雌螺子を各々備えると共に、対向する他方の分割片の円弧状の内周面に、クリック係合溝とクリック係合するクリック係合突部を各々備え、これらのクリック係合溝及びクリック係合突部より成るクリック機構によって、相対回転の度合いや移動体の移動具合を使用者に感知させるようにしている。また、このクリック機構に代えて、上記クリック機構と同位置に、ラチェット溝及びラチェット歯より成るラチェット機構を用いる技術も開示されている。
【特許文献１】特開２００６−３０５２９９号公報
【発明の開示】
【発明が解決しようとする課題】
【０００４】
ここで、上記押出容器にあっては、螺子を形成する部分の一部に、溝や突部（歯）を設ける構成のため、成形が難しく、良好なクリック感を安定して実現できないという問題があった。
【０００５】
本発明は、このような課題を解決するために成されたものであり、クリック機構の成形が容易で部品精度が高く、良好なクリック感を安定して実現できる塗布材押出容器を提供することを目的とする。
【課題を解決するための手段】
【０００６】
本発明による塗布材押出容器は、筒状を成して先端に開口を有し塗布材が充填された充填部材と、外周面に雄螺子を有し前進することにより塗布材を押し出し開口から出現させる移動体と、移動体の雄螺子と螺合する雌螺子を有し、充填部材に対し軸線周り回転方向に係合する雌螺子部材と、移動体に対し軸線周り回転方向に係合し且つ軸線方向に移動可能に係合する形状部分を有する回転止め部材と、を具備し、充填部材及び雌螺子部材と回転止め部材及び移動体とが相対回転することにより、雄螺子及び雌螺子より構成された螺合部が働き充填部材に対して移動体が移動する塗布材押出容器であって、雌螺子部材は、少なくとも後側に向けて開口された円筒部を備え、回転止め部材は、少なくとも前側に向けて開口され、雌螺子部材の円筒部に対し軸線方向に重なり合って係合するオーバーラップ区間を有するように配設された円筒部を備え、オーバーラップ区間内であって雌螺子部材の円筒部から外側又は内側に突設されたクリック歯部が、オーバーラップ区間内であって回転止め部材の円筒部から内側又は外側に突設されて雌螺子部材のクリック歯部に対向するクリック歯部に係合することによって、相対回転に同期してクリック感を付与するクリック機構を有していることを特徴としている。
【０００７】
このような塗布材押出容器によれば、雌螺子部材の少なくとも後側に向けて開口された円筒部と、回転止め部材の少なくとも前側に向けて開口された円筒部とが、軸線方向に重なり合って係合するオーバーラップ区間を有する構成とされて、雌螺子部材の円筒部のオーバーラップ区間内に設けられ外側又は内側に突設されたクリック歯部と、回転止め部材の円筒部のオーバーラップ区間内に設けられ内側又は外側に突設されたクリック歯部とがクリック機構を構成し、これらのクリック歯部同士が、充填部材及び雌螺子部材と回転止め部材及び移動体との相対回転に同期して係合し、クリック感を付与する構成とされる。従って、クリック機構の成形が容易で部品精度が高く、良好なクリック感を安定して実現することができる。
【０００８】
ここで、螺合部とは別の螺合部を備え、容器を構成する容器前部と容器後部との相対回転により、別の螺合部が働き充填部材が移動し、さらなる同方向への相対回転により、螺合部が働き充填部材に対して移動体が移動し、螺合部が働く際にクリック歯部同士が係合する構成とするのが好ましい。
【０００９】
このような構成を採用した場合、充填部材の移動の際にはクリック感が生じること無く、移動体の移動の際のみにクリック感が生じるため、容器前部と容器後部とを充填部材を繰り出す方向に相対回転する場合には、クリック感を伴うこと無く充填部材を素早く前進させることが可能とされると共に、さらなる同方向への相対回転により、移動体が前進しながらクリック感が生じ当該クリック感により塗布材を適度に押し出すことが可能とされ塗布材の出し過ぎが防止され、また、容器前部と容器後部とを充填部材を繰り戻す方向に相対回転する場合には、クリック感を伴うこと無く充填部材を素早く後退させることが可能とされると共に、さらなる同方向への相対回転により、移動体が後退しながらクリック感が生じ当該クリック感により移動体の戻し過ぎが防止される。
【００１０】
また、上記作用を効果的に奏する構成としては、具体的には、雌螺子部材のクリック歯部又は回転止め部材のクリック歯部は、雌螺子部材と回転止め部材とが何れの相対的位置関係にあっても、相手側のクリック歯部に係合し得る軸線方向長寸法を有する構成が挙げられる。
【発明の効果】
【００１１】
このように本発明による塗布材押出容器によれば、クリック機構の成形が容易で部品精度が高く、良好なクリック感を安定して実現できる。
【発明を実施するための最良の形態】
【００１２】
以下、本発明による塗布材押出容器の好適な実施形態について図１〜図２５を参照しながら説明する。なお、各図において、同一の要素には同一符号を付し、重複する説明は省略する。
【００１３】
図１〜図１３は、本発明の第一実施形態を、図１４〜図２５は、本発明の第二実施形態を各々示すもので、図１〜図７は、本発明の第一実施形態に係る塗布材押出容器の各状態を示す縦断面図、図８は、図１のVIII-VIII線に沿う断面斜視図、図９及び図１０は回転止め部材を示す各図、図１１〜図１３は雌螺子部材を示す各図であり、本実施形態の塗布材押出容器は、塗布材を収容すると共に適宜使用者の操作により押し出し可能とするものである。
【００１４】
ここでは、塗布材として、例えば、リップグロス、リップ、アイカラー、アイライナー、美容液、洗浄液、ネールエナメル、ネールケア溶液、ネールリムーバー、マスカラ、アンチエイジング、ヘアーカラー、頭髪用化粧料、オーラルケア、マッサージオイル、角栓ゆるめ液、ファンデーション、コンシーラー、スキンクリーム、マーキングペン等の筆記用具等のインク、液状の医薬品、泥状物等を始めとした液状や、ゼリー状、ゲル状、ペースト状を含む練り状等の半固体や軟固形状等を用いることが可能である。
【００１５】
図１に示すように、塗布材押出容器１００は、容器後部を構成する本体筒１と、容器前部を構成し先筒押え部材２を介して本体筒１に相対回転可能に連結された先筒３とを外形構成として具備している。そして、この塗布材押出容器１００は、容器内に、充填部材４、雌螺子部材５、回転止め部材１６、移動体６、ピストン７、第一の螺合部（別の螺合部）８、第二の螺合部（螺合部）９を概略備えている。
【００１６】
本体筒１は、有底筒状に構成され、底部側の内周面に沿って、図１及び図８に示すように、回転止め部材１６を装着するための突条１ｆを、複数備えている。これらの突条１ｆは、本体筒１の底面から当該本体筒１の軸線方向中程まで延びると共に本体筒１の内周面から軸心に向かって所定長突出するように設けられている。
【００１７】
回転止め部材１６は、図９及び図１０に示すように、有底円筒状に構成された本体部１６ｘと、この本体部１６ｘの底部中央に、先端側に向かうように立設された軸体１６ｙと、を備える構成とされている。
【００１８】
本体部１６ｘには、底部に円環状の鍔部１６ａが設けられ、この鍔部１６ａの周面には、周方向に沿って凹凸が連続する歯車形状の凹凸部１６ｂが、本体筒１の突条１ｆに軸線周り回転方向に係合するものとして設けられている。また、本体部１６ｘの周壁である円筒部１６ｚの対向位置には、内外を連通する開口１６ｃ，１６ｃが一対設けられ、円筒部１６ｚにおける開口１６ｃの先端側の内縁に沿って、内側（軸心側）に張り出す円弧状の凸部１６ｄが、雌螺子部材５に軸線方向に係止される係止部として設けられている。
【００１９】
そして、この円弧状の凸部１６ｄの内周面には、内側（軸心側）に突出し軸線方向に短尺に延びる突起であるクリック歯部１６ｆが、周方向に沿って複数設けられている。このクリック歯部１６ｆは、雌螺子部材５と軸線周り回転方向にクリック係合するためのものであり、その横断面形状が等脚台形の如き形状とされている。
【００２０】
軸体１６ｙは、円柱体の外周面に、半径方向外方に突出するように配置されて軸線方向に延びる突条１６ｅを周方向に沿って複数備える横断面非円形形状とされている。そして、この突条１６ｅが、回り止め部（回り止め機構）５０の一方を構成する回り止めとされる。
【００２１】
そして、回転止め部材１６は、図１に示すように、本体筒１に内挿され、図１及び図８に示すように、その凹凸部１６ｂの凹部に本体筒１の突条１ｆが進入し軸線周り回転方向に係合し、本体筒１に同期回転可能且つ軸線方向移動可能に装着されている。
【００２２】
先筒３は、図１に示すように、後端部に鍔部３ａを備える円筒形状とされ、その内周面の軸線方向略中央から後端に亘って、第一の螺合部（螺合機構）８の一方を構成する雌螺子としての螺合溝３ｂを有する構成とされている。この螺合溝３ｂの先端３ｆが、雌螺子部材５の後述の螺合突起５ｅの前進限とされ、充填部材４の前進限に対応するものとされている。
【００２３】
この先筒３は、その後半部が本体筒１に内挿され、その鍔部３ａの後端面が本体筒１の突条１ｆの先端面に突き当てられている。
【００２４】
先筒押え部材２は、先端側に鍔部２ａを備える筒形状とされ、後部側のバネ部２ｄと、このバネ部２ｄより前側の本体部２ｘと、を有する構成とされている。
【００２５】
この先筒押え部材２は、本体筒１に内挿されると共に先筒３に外挿され、鍔部２ａの後端面が本体筒１の先端面に突き当てられた状態で、本体筒１に同期回転可能且つ軸線方向離脱不能に装着されている。また、この状態で、先筒３は、その鍔部３ａの前側の面が、Ｏリング９９を介して先筒押え部材２の後端面に押し当てられて当該先筒押え部材２のバネ部２ｄにより後側に付勢され、その鍔部３ａが先筒押え部材２、Ｏリング９９と本体筒１の突条１ｆとの間に挟まれるようにして、本体筒１に対し先筒押え部材２を介して相対回転可能且つ軸線方向離脱不能に装着されている。この先筒押え部材２のバネ部２ｄ及びＯリング９９により、先筒３と本体筒１には、より良い回転抵抗が発生する。
【００２６】
移動体６は、略円筒形状に構成され、先端側の外面に鍔部６ａを有すると共に、この鍔部６ａより後側の部分の外面に、第二の螺合部（螺合機構）９の一方を構成する雄螺子６ｂを軸線方向に沿って有している。
【００２７】
また、移動体６の先端から後端に亘る内周面には、軸線方向に延びる突条６ｄが、放射状に内側に突出するように複数配置されている。そして、この突条６ｄが、回り止め部（回り止め機構）５０の他方を構成する回り止めとされている。
【００２８】
この移動体６は、回転止め部材１６の軸体１６ｙに外挿され、その突条６ｄが回転止め部材１６の軸体１６ｙの突条１６ｅ，１６ｅ間に進入し軸線周り回転方向に係合し、回転止め部材１６に同期回転可能且つ軸線方向移動可能に装着されている。
【００２９】
ピストン７は、移動体６の鍔部６ａより前側の部分である先端部に、軸線方向移動不能に装着されている。
【００３０】
雌螺子部材５は、図１１及び図１２に示すように、先端の外径小径部５ａ、この外径小径部５ａの後端に続く外径大径部５ｂを備える段付き円筒形状に構成されている。外径大径部５ｂの軸線方向中程には鍔部５ｃが設けられ、この鍔部５ｃの外周面には、周方向に沿って複数の位置に、第一の螺合部（螺合機構）８の他方を構成する雄螺子としての螺合突起５ｅが設けられている。
【００３１】
また、雌螺子部材５の外径大径部５ｂの後端部の外周面には、回転止め部材１６の円弧状の凸部１６ｄを軸線方向に係止するための環状突部（係止部）５ｋが設けられている。
【００３２】
また、雌螺子部材５には、その外径小径部５ａの先端から外径大径部５ｂの先端部まで延び内外を連通するスリット５ｎが、軸線を挟んだ両側に一対設けられ、外径小径部５ａの前半部の内面には、第二の螺合部（螺合機構）９の他方を構成する雌螺子５ｊが、図１２及び図１３に示すように、スリット５ｎ，５ｎにより半円弧状に分けられるようにして設けられている。
【００３３】
また、雌螺子部材５には、図１１及び図１２に示すように、雌螺子５ｊの外周側である外径小径部５ａにおける先端側の外周面に、図１に示すＯリング１１を装着するための溝部５ｍが、スリット５ｎ，５ｎにより半円弧状に分けられるようにして設けられている。
【００３４】
また、雌螺子部材５の外径大径部５ｂの鍔部５ｃより後側は、円筒部５ｔとされ、この円筒部５ｔには、側面視において軸線方向に延びる略長方形状を成し内外を連通する開口５ｐが、周方向に沿って複数設けられている。この開口５ｐに対しては、略直方体形状のクリック歯部ベース５ｑが進入するようにして配置され、このクリック歯部ベース５ｑの表面に、外側に突出し軸線方向に長尺に延びる突起であるクリック歯部５ｓが設けられている。このクリック歯部５ｓは、回転止め部材１６のクリック歯部１６ｆと軸線周り回転方向にクリック係合するためのものであり、その横断面形状が登り傾斜と下り傾斜を有する山型とされている。そして、当該クリック歯部５ｓを有するクリック歯部ベース５ｑは、外径大径部５ｂの開口５ｐ周面から突出する一対の支持部５ｒに連結され、支持部５ｒにより半径方向に可撓性を有するように支持されている。
【００３５】
この雌螺子部材５は、図１に示すように、移動体６に外挿されると共に先筒３の後部に内挿され、さらにその鍔部５ｃより後側の円筒部５ｔが回転止め部材１６に内挿され、その雌螺子５ｊが移動体６の雄螺子６ｂに螺合した状態で、その外径小径部５ａの先端面が移動体６の鍔部６ａの後端面に突き当てられると共にその鍔部５ｃの後端面が回転止め部材１６の円筒部１６ｚ（本体部１６ｘ）の先端面に突き当てられ、その螺合突起５ｅが先筒３の螺合溝３ｂに螺合し、その環状突部５ｋが、回転止め部材１６の凸部１６ｄに対して軸線方向後方に離間し当該凸部１６ｄに対して非係合の状態とされている。この状態で、図１及び図８に示すように、雌螺子部材５のクリック歯部５ｓと回転止め部材１６のクリック歯部１６ｆとは、軸線周り回転方向にクリック係合可能な状態とされている。すなわち、雌螺子部材５の円筒部５ｔ及び回転止め部材１６の円筒部１６ｚは、軸線方向に重なり合ってクリック歯部５ｓ，１６ｆ同士がクリック係合するオーバーラップ区間を軸線方向に有する構成とされている。
【００３６】
そして、図１に示すように、雌螺子部材５の溝部５ｍにはＯリング１１が嵌着され、このＯリング１１の弾性力によって、スリット５ｎ，５ｎにより割られている雌螺子部材５の外径小径部５ａが締め付けられ、これにより、雌螺子部材５の雌螺子５ｊ及び移動体６の雄螺子６ｂより構成された第二の螺合部９の作動抵抗が上げられ、雌螺子部材５の螺合突起５ｅ及び先筒３の螺合溝３ｂより構成された第一の螺合部８の作動抵抗に比して高くされている。
【００３７】
また、第一の螺合部８、第二の螺合部９にあっては、第二の螺合部９のリードに比して第一の螺合部８のリードが大きくされている。ここで、リードとは、螺子を一回転した時に軸方向に進む距離のことである。
【００３８】
充填部材４は、円筒形状を成すと共に先端が閉じられる形状とされ、内部に塗布材Ｌが充填されている。この充填部材４の先端部の外面が塗布部とされ、この塗布部に、内外を連通する吐出口（開口）４ｃが設けられている。
【００３９】
この充填部材４は、先筒３に内挿されると共に、その後部が雌螺子部材５に外挿され、雌螺子部材５に対し軸線周り回転方向に係合し且つ軸線方向に係合し、雌螺子部材５に同期回転可能且つ軸線方向移動不能に装着されて当該雌螺子部材５と一体化され、この状態で、先筒３内に収容されている。そして、キャップ１０が先筒押え部材２に着脱可能に係合することで、充填部材４を収容した先筒３が覆われ保護されている。
【００４０】
このような構成を有する塗布材押出容器１００は、その初期状態において、図１に示すように、充填部材４、雌螺子部材５、移動体６及び回転止め部材１６が後退限に位置し、先筒３内に充填部材４が収容されていると共に、回転止め部材１６の後端面が本体筒１の底面に当接した状態にある。
【００４１】
そして、この初期状態の塗布材押出容器１００にあっては、使用者によりキャップ１０が取り外されて本体筒１と先筒３とが一方向である繰り出し方向に相対回転されると、第二の螺合部９の作動抵抗が第一の螺合部８の作動抵抗に比して高いため、第一の螺合部８の螺合作用が作動し、本体筒１に同期回転可能に係合する回転止め部材１６の軸体１６ｙの突条１６ｅ及び移動体６の突条６ｄにより構成される回り止め部５０との協働により、雌螺子部材５及び充填部材４と共に移動体６及びピストン７が前進し、充填部材４の先端部が先筒３の先端の開口から出現する。
【００４２】
雌螺子部材５が所定量、具体的には、当該雌螺子部材５の環状突部５ｋと回転止め部材１６の凸部１６ｄとの間の軸線方向の離間長前進すると、雌螺子部材５の環状突部５ｋが回転止め部材１６の凸部１６ｄを軸線方向に係止し、続けて本体筒１と先筒３とが繰り出し方向へ相対回転されると、環状突部５ｋと凸部１６ｄとの係止により雌螺子部材５が回転止め部材１６を伴って前進し、充填部材４の先端部の先筒３からの突出量が増えながら、充填部材４は、図２に示すように、雌螺子部材５の螺合突起５ｅが先筒３の螺合溝３ｂの先端３ｆに位置する前進限まで前進する。このとき、回転止め部材１６の凹凸部１６ｂの前側の面は、先筒３の鍔部３ａの後端面に接する、又は、鍔部３ａの後端面の近傍に位置する状態とされる。
【００４３】
この充填部材４（雌螺子部材５）の前進時にあっては、第二の螺合部９のリードに比して第一の螺合部８のリードが大きくされているため、充填部材４及び雌螺子部材６は、素早く前進限である使用位置に達する。そして、雌螺子部材５の螺合突起５ｅは、先筒３の螺合溝３ｂの先端３ｆに達すると前進が阻止され、第一の螺合部８の螺合作用が停止する。
【００４４】
この充填部材４の前進時にあっては、第二の螺合部９の螺合作用が作動せず、雌螺子部材５と回転止め部材１６は同期回転しているため、クリック感は生じない。従って、クリック感を伴うこと無く充填部材４を素早く前進させることができる。
【００４５】
続けて本体筒１と先筒３とが繰り出し方向へ相対回転されると、第一の螺合部８の螺合作用が停止しているため、第二の螺合部９の螺合作用が働き、回り止め部５０との協働により、図３に示すように、移動体６及びピストン７が前進する。このとき、第一の螺合部８のリードに比して第二の螺合部９のリードが小さくされているため、ピストン７はゆっくりと繰り出され塗布材Ｌが適度に充填部材４の吐出口４ｃから吐出し出現して使用状態にされる。
【００４６】
この移動体６の前進時（移動体６が充填部材４に対して前進しているとき）にあっては、第一の螺合部８の螺合作用が作動せず、雌螺子部材５と回転止め部材１６は繰り出し方向に相対回転しているため、雌螺子部材５のクリック歯部５ｓと回転止め部材１６のクリック歯部１６ｆが回転方向の係止及びその解除を繰り返して、クリック感が生じ、相対回転の度合いや移動体６の前進具合が使用者に感知される。従って、当該クリック感により塗布材Ｌを適度に押し出すことができ塗布材Ｌの出し過ぎが防止される。
【００４７】
使用後にあって、本体筒１と先筒３とが一方向の反対方向である繰り戻し方向へ相対回転されると、前述したように、第一の螺合部８の作動抵抗に比して第二の螺合部９の作動抵抗が高くされているため、先に第一の螺合部８の螺合作用が働き、回り止め部５０との協働により、図４に示すように、雌螺子部材５及び充填部材４と共に移動体６及びピストン７が後退する。このとき、回転止め部材１６は自重により雌螺子部材５と共に後退するようにしても良く、後退する雌螺子部材５の鍔部５ｃに当接し当該鍔部５ｃにより後退するようにしても良い。
【００４８】
そして、充填部材４の後退に従い、充填部材４の先端部は、先筒３の先端の開口から没入し（図５参照）、回転止め部材１６の後端面が本体筒１の底面に当接すると共に雌螺子部材５の鍔部５ｃの後端面が回転止め部材１６の円筒部１６ｚ（本体部１６ｘ）の先端面に当接して充填部材４及び雌螺子部材５が後退限に達する。
【００４９】
この充填部材４（雌螺子部材５）の後退時にあっては、第二の螺合部９のリードに比して第一の螺合部８のリードが大きくされているため、充填部材４は、素早く繰り戻される。そして、充填部材４が後退限に達すると、雌螺子部材５の螺合突起５ｅのそれ以上の後退が阻止され、第一の螺合部８の螺合作用が停止する。
【００５０】
この充填部材４の後退時にあっては、第二の螺合部９の螺合作用が作動せず、雌螺子部材５と回転止め部材１６は同期回転しているため、クリック感は生じない。従って、クリック感を伴うこと無く充填部材４を素早く後退させることができる。
【００５１】
ここで、さらに本体筒１と先筒３とが繰り戻し方向へ相対回転されると、第一の螺合部８の螺合作用が停止しているため、第二の螺合部９の螺合作用が働き、回り止め部５０との協働により、図５に示すように、移動体６及びピストン７が後退する。このとき、第一の螺合部８のリードに比して第二の螺合部９のリードが小さくされているため、ピストン７はゆっくりと繰り戻される。
【００５２】
そして、このピストン７の後退により、充填部材４の吐出口４ｃから塗布材Ｌが充填部材４内に吸引されると共に、充填部材４の吐出口４ｃより内側に所定の空間Ａが形成され、この空間Ａにより、塗布材Ｌ及び当該塗布材Ｌに混入する空気が温度変化や気圧の変化により膨張しても、塗布材Ｌが吐出口４ｃから漏出することが防止される。
【００５３】
この移動体６の後退時（移動体６が充填部材４に対して後退している時）にあっては、第一の螺合部８の螺合作用が作動せず、雌螺子部材５と回転止め部材１６は繰り戻し方向に相対回転しているため、雌螺子部材５のクリック歯部５ｓと回転止め部材１６のクリック歯部１６ｆが回転方向の係止及びその解除を繰り返して、クリック感が生じ、相対回転の度合いや移動体６の後退具合が使用者に感知される。従って、当該クリック感により移動体の戻し過ぎが防止される。
【００５４】
そして、充填部材４内に塗布材Ｌが残っている場合には、この塗布材Ｌを使用状態とすべく、使用者により再度本体筒１と先筒３とが繰り出し方向に相対回転され、以降は上記と同様な動作となり、このような動作が繰り返される。
【００５５】
また、本体筒１と先筒３との繰り出し方向への相対回転により、図６に示すように、雌螺子部材５及び移動体６が最大に前進すると、ピストン７が充填部材４の先端部の内面に当接し、塗布材Ｌが殆ど使い切られる。
【００５６】
そして、本体筒１と先筒３との繰り戻し方向への相対回転により、充填部材４及び雌螺子部材５が後退限に達すると、先筒３内に充填部材４が収容され、図７に示す状態となる。
【００５７】
このように、本実施形態の塗布材押出容器１００によれば、雌螺子部材５の円筒部５ｔと、回転止め部材１６の円筒部１６ｚとが、軸線方向に重なり合ってクリック係合するオーバーラップ区間を有する構成とされて、雌螺子部材５の円筒部５ｔのオーバーラップ区間内に設けられ外側に突設されたクリック歯部５ｓと、回転止め部材１６の円筒部１６ｚのオーバーラップ区間内に設けられ内側に突設されたクリック歯部１６ｆとがクリック機構を構成し、これらのクリック歯部５ｓ，１６ｆ同士が、充填部材４及び雌螺子部材５と回転止め部材１６及び移動体６との相対回転に同期してクリック係合し、クリック感を付与する構成とされているため、クリック機構の成形が容易で部品精度が高く、良好なクリック感を安定して実現することができる。
【００５８】
また、本実施形態によれば、第一の螺合部８の働きにより充填部材４及び雌螺子部材５が前進／後退し、このとき、第一の螺合部８の働きにより回転止め部材１６が前進／後退するため、第一の螺合部８の螺合作用による充填部材４の移動距離や、第二の螺合部９の螺合作用による移動体６の移動距離が、移動体の回り止めが軸線方向に移動しない場合に比して延ばされ、例えば塗布材Ｌの使用量を増やすこと等が可能とされている。
【００５９】
また、雌螺子部材５は、回転止め部材１６を軸線方向に係止する環状突部５ｋを備えているため、第一の螺合部８の螺合作用による移動体６を含む充填部材４の移動に従い、回転止め部材１６が確実に移動するようになっている。
【００６０】
なお、雌螺子部材５の係止部５ｋを無くし例えば使用者が容器を逆さにする等して回転止め部材１６を自重により移動させたり、摩擦や螺合等により移動させることも可能である。
【００６１】
また、雌螺子部材５が、回り止めとして機能する回転止め部材１６を残した状態で後退限から所定量前進し、その後、回転止め部材１６を伴ってさらに前進するようにしているが、例えば係止部同士を予め軸線方向に当接する等して最初から回転止め部材１６を伴って前進する構成とすることも可能である。
【００６２】
図１４〜図１６は、本発明の第二実施形態に係る塗布材押出容器の各状態を示す縦断面図、図１７は、塗布材押出容器の破断分解斜視図、図１８及び図１９は、本体筒、中間部材及び回転止め部材を示す破断斜視図、図２０及び図２１は、回転止め部材を示す斜視図、図２２〜図２４は、雌螺子部材を示す各図、図２５は、他の雌螺子部材を示す斜視図である。
【００６３】
図１４に示すように、第二実施形態の塗布材押出容器２００にあっては、螺合部が螺合部１０９の一個とされ、塗布材Ｌが内部に充填された充填部材１０４が軸線方向に移動しない構成とされると共に、先筒３及び先筒押え部材２が無くされ、この一個の螺合部１０９の螺合作用の働きにより移動体１０６が前進／後退する構成とされている。
【００６４】
すなわち、塗布材押出容器２００は、容器後部を構成する本体筒１０１と、容器前部を構成する充填部材１０４とを外形構成として具備し、容器内に、中間部材１０２、回転止め部材１１６、雌螺子部材１０５、移動体１０６、ピストン１０７を概略備えている。
【００６５】
具体的には、本体筒１０１は、図１７及び１８に示すように、有底筒状に構成され、その底部に、前方に向かって突出する係合爪片１０１ａを備えている。この係合爪片１０１ａは、本体筒１０１の底部に軸線周り周方向に沿って四等配の位置に設けられ、この係合爪片１０１ａの先端部には、半径方向外側に膨出する爪部１０１ｃが回転止め部材１１６を装着するためのものとして設けられている。係合爪片１０１ａの根元部分の半径方向外側の底部には、半径方向外側に広がると共に軸線方向後方へ向かって凹む凹部１０１ｂが設けられ、係合爪片１０１ａは、半径方向に可撓性を有する構成とされている。また、本体筒１０１は、ここでは透明材より構成され、内部の中間部材１０２が目視可能とされている。
【００６６】
中間部材１０２は、有底筒状に構成され、その外形状が本体筒１０１の内形状にほぼ合致する形状とされている。この中間部材１０２の底部には、本体筒１０１の係合爪片１０１ａを軸線方向に通すための開口１０２ａが設けられている。この中間部材１０２は、ここでは、塗布材Ｌと同色の紅色とされている。
【００６７】
回転止め部材１１６は、図２０及び図２１に示すように、有底筒状に構成された本体部１１６ｘと、この本体部１１６ｘの底部中央に、先端側に向かうように立設された軸体１１６ｙと、を備える構成とされている。
【００６８】
本体部１１６ｘの後半部は、円筒部１１６ｚとされ、その底部１１６ｒには、本体筒１０１の係合爪片１０１ａの進入を可能とすると共に、係合爪片１０１ａを回転止め部材１１６の軸線周り回転方向に係合するための開口１１６ａが、係合爪片１０１ａに対応する位置に開口されている。
【００６９】
また、本体部１１６ｘには、その底部１１６ｒの周縁の位置であって対向する一対の開口１１６ａ，１１６ａを両側から挟む位置から、平行状態で内方に延びるスリット１１６ｂが四個設けられると共に、隣接するスリット１１６ｂに挟まれた底部部分１１６ｃを円筒部１１６ｚから軸線方向に離隔するように底部部分１１６ｃより前側に設けられて当該隣接するスリット１１６ｂに連設される切欠状部１１６ｄを有している。この底部部分１１６ｃは、底部１１６ｒ周縁における底部部分１１６ｃ及びスリット１１６ｂを除く部分１１６ｐによって軸線方向に可撓性を有するように支持された半島部とされる。この半島部１１６ｃの後端面の周縁部には、後方に突出する円弧状凸部１１６ｓが設けられている。
【００７０】
また、図２１に示すように、本体部１１６ｘの円筒部１１６ｚの軸線方向中程の内周面には、内側（軸心側）に突出し軸線方向に延びる突条であるクリック歯部１１６ｆが、周方向に沿って複数設けられている。このクリック歯部１１６ｆは、雌螺子部材１０５と軸線周り回転方向にクリック係合するためのものである。
【００７１】
また、本体部１１６ｘの前半部の後部周壁には、その内周面に、前側の円環状段差面１１６ｇが設けられると共に、この前側の円環状段差面１１６ｇより後方の位置に後側の円環状段差面１１６ｈが設けられ、本体部１１６ｘの内周面は、円環状段差面１１６ｇ，１１６ｈを介して後方に行くに従い小径とされている。また、本体部１１６ｘの前半部の後部周壁には、内外を連通する前側の開口１１６ｉが一対対向して設けられると共に、この一対の前側の開口１１６ｉの後側に離間する位置に内外を連通する後側の開口１１６ｊが一対対向して設けられている。前側の開口１１６ｉは、その後端面が前側の円環状段差面１１６ｇの一部と面一で繋がるように開口され、後側の開口１１６ｊは、その後端面が後側の円環状段差面１１６ｈの一部と面一で繋がるように開口されている。
【００７２】
また、前側の開口１１６ｉの先端側の内縁に沿う周壁部分には、内側（軸心側）に張り出す前側の円弧状凸部１１６ｋが設けられ、後側の開口１１６ｊの先端側の内縁に沿う周壁部分には、内側に張り出す後側の円弧状凸部１１６ｍが設けられている。前側の円弧状凸部１１６ｋは、充填部材１０４を軸線方向に係合するためのものであり、後側の円弧状凸部１１６ｍ及び後側の円環状段差面１１６ｈは、雌螺子部材１０５を軸線方向に係合するためのものである。
【００７３】
また、本体部１１６ｘの先端側の筒部は、これより後側の筒部に対して、内周段差面１１６ｎ、外周段差面を介して内外径が拡大された形状とされている。この内周段差面１１６ｎは、充填部材１０４を軸線方向に係合するためのものである。
【００７４】
軸体１１６ｙは、第一実施形態の軸体１６ｙと同様な構成とされ、周方向に沿って複数設けられ軸線方向に延びる突条１１６ｅが回り止め部（回り止め機構）１５０の一方を構成する回り止めとされる。
【００７５】
そして、図１８に示すように、本体筒１０１に対して、中間部材１０２、回転止め部材１１６が内挿され、図１９に示すように、本体筒１０１の底部に対して中間部材１０２の底部が当接し、中間部材１０２の底部に回転止め部材１１６の円弧状凸部１１６ｓが当接した状態で、本体筒１０１の係合爪片１０１ａが、中間部材１０２の開口１０２ａを通過し、係合爪片１０１ａが内側（軸心側）に撓みながら爪部１０１ｃが回転止め部材１１６の開口１１６ａに進入し当該爪部１０１ｃが回転止め部材１１６の開口１１６ａを通過すると係合爪片１０１ａはその可撓性に応じて元の位置に戻り、爪部１０１ｃが中間部材１０２の前側の面に密着して中間部材１０２を軸線方向に係合すると共に係合爪片１０１ａが回転止め部材１１６の開口１１６ａに軸線周り回転方向に係合し、これにより、回転止め部材１１６及び中間部材１０２は、本体筒１０１に同期回転可能且つ軸線方向離脱不能に装着される。
【００７６】
ここで、回転止め部材１１６の半島部１１６ｃは、回転止め部材１１６に切欠状部１１６ｄ及びスリット１１６ｂを設けることで、軸線方向に可撓性を有する構成であるため、本体筒１０１の爪部１０１ｃにより本体筒１０１側にガタツキ無く押えられている。
【００７７】
移動体１０６は、図１４及び図１７に示すように、略円筒形状に構成され、第一実施形態の移動体６と同様に、先端側の外周面に鍔部１０６ａを備えると共に、この鍔部１０６ａより後側の外周面に、螺合部（螺合機構）１０９の一方を構成する雄螺子１０６ｂを軸線方向に沿って有し、且つ、内周面に、放射状に内側に突出するように複数配置されて軸線方向に延びる突条１０６ｄを、回り止め部（回り止め機構）１５０の他方を構成する回り止めとして有している。
【００７８】
この移動体１０６は、図１４に示すように、回転止め部材１１６の軸体１１６ｙに外挿され、その突条１０６ｄが回転止め部材１１６の軸体１１６ｙの突条１１６ｅ，１１６ｅ間に進入して軸線周り回転方向に係合し、回転止め部材１１６に同期回転可能且つ軸線方向移動可能に装着されている。
【００７９】
ピストン１０７は、移動体１０６の先端部にピストン支持部材１０８を介して軸線方向移動不能に装着されている。
【００８０】
雌螺子部材１０５は、図２２〜図２４に示すように、略円筒形状に構成される外筒部１０５ａと、図２４に示すように、外筒部１０５ａの先端側に連設されて外筒部１０５ａより小径を成す内筒部１０５ｂを備えている。
【００８１】
図２２及び図２３に示すように、雌螺子部材１０５の外筒部１０５ａの先端部の外周面には、軸線方向に延びる突条１０５ｆが、充填部材１０４を軸線周り回転方向に係合するためのものとして周方向に沿って複数設けられている。
【００８２】
また、図２４に示すように、雌螺子部材１０５の内筒部１０５ｂには、軸線方向に延びて内外を連通し内筒部１０５ｂを二分割するスリット１０５ｎが、軸線を挟んだ両側に一対設けられている。このスリット１０５ｎ，１０５ｎより二分割された内筒部１０５ｂの前半部の内周面には、螺合部（螺合機構）１０９の他方を構成する雌螺子１０５ｊが、スリット１０５ｎ，１０５ｎにより半円弧状に分けられるようにして設けられている。
【００８３】
また、図２２〜図２４に示すように、雌螺子部材１０５の外筒部１０５ａの軸線方向中程の外周面には、回転止め部材１１６の後側の円弧状凸部１１６ｍ及び後側の円環状段差面１１６ｈに軸線方向に係合するための鍔部１０５ｃが設けられ、この鍔部１０５ｃより後側の外周面には、図１４に示すＯリング１１１を装着するための溝部１０５ｍが設けられている。
【００８４】
また、雌螺子部材１０５の外筒部１０５ａの溝部１０５ｍより後側は、クリック歯部１０５ｓを有する円筒部１０５ｔとされている。具体的には、第一実施形態とほぼ同様に、軸線方向に延びその横断面形状が登り傾斜と下り傾斜を有する山型とされたクリック歯部１０５ｓを有するクリック歯部ベース１０５ｑが、円筒部１０５ｔの周方向に沿って複数設けられた開口１０５ｐにそれぞれ配置されて、開口１０５ｐ周面から突出する支持部１０５ｒにより半径方向に可撓性を有するように支持される構成とされている。
【００８５】
そして、この雌螺子部材１０５は、図１４に示すように、移動体１０６に外挿されると共に回転止め部材１１６に内挿され、その内筒部１０５ｂの雌螺子１０５ｊが移動体１０６の雄螺子１０６ｂに螺合した状態で、その内筒部１０５ｂの先端面が移動体１０６の鍔部１０６ａの後端面に突き当てられ、その外筒部１０５ａの鍔部１０５ｃが回転止め部材１１６の後側の円弧状凸部１１６ｍ及び後側の円環状段差面１１６ｈとの間に進入し回転止め部材１１６に軸線方向に係合することで、回転止め部材１１６に相対回転可能且つ軸線方向移動不能に装着されている。この状態で、雌螺子部材１０５のクリック歯部１０５ｓと回転止め部材１１６のクリック歯部１１６ｆとは、軸線周り回転方向にクリック係合可能な状態とされている。すなわち、雌螺子部材１０５の円筒部１０５ｔ及び回転止め部材１１６の円筒部１１６ｚは、軸線方向に重なり合ってクリック歯部１０５ｓ，１１６ｆ同士がクリック係合するオーバーラップ区間を軸線方向に有する構成とされている。なお、ここでは、雌螺子部材１０５のクリック歯部１０５ｓを円周等分４箇所に設け、回転止め部材１１６のクリック歯部１１６ｆを円周等分１６箇所に設けて、１回転のクリック回数を１６回としているが、１クリックでの塗布材Ｌの吐出量を調整すべく種々のクリック歯部を適宜選択することができる。
【００８６】
そして、雌螺子部材１０５の溝部１０５ｍにはＯリング１１１が嵌着され、このＯリング１１１により、雌螺子部材１０５に連結される充填部材１０４と回転止め部材１１６に連結された本体筒１０１には、より良い回転抵抗が発生する。
【００８７】
充填部材１０４は、図１４及び図１７に示すように、後端部及び軸線方向の中間部以外は、第一実施形態の充填部材４と同様に構成され、先端部の塗布部に内外を連通する吐出口（開口）１０４ｃを備えている。
【００８８】
この充填部材１０４の後端部には、回転止め部材１１６の前側の円弧状凸部１１６ｋに軸線方向に係合するための環状突部１０４ａが設けられている。また、充填部材１０４の中間部には、その外周面に、回転止め部材１１６の内周段差面１１６ｎに軸線方向に係合するための環状突部１０４ｂが設けられている。
【００８９】
また、充填部材１０４の後端部の内周面には、軸線方向先端側へ所定長に亘って延び周方向に沿って凹凸が密に並設されるローレット１０４ｅが、雌螺子部材１０５の突条１０５ｆに軸線周り回転方向に係合するものとして設けられている。
【００９０】
この充填部材１０４は、図１４に示すように、その後部が、回転止め部材１１６に内挿されると共に雌螺子部材１０５の先端部に外挿され、そのローレット１０４ｅに雌螺子部材１０５の突条１０５ｆが軸線周り回転方向に係合することで、雌螺子部材１０５に対し同期回転可能に装着されると共に、その環状突部１０４ａの前側面が回転止め部材１１６の前側の円弧状凸部１１６ｋの後端面に対し軸線方向に係合し、その環状突部１０４ｂの後端面が回転止め部材１１６の内周段差面１１６ｎに対し軸線方向に係合することで、回転止め部材１１６に相対回転可能且つ軸線方向移動不能に装着されている。すなわち、充填部材１０４及び雌螺子部材１０５は、本体筒１０１に対し相対回転可能且つ軸線方向移動不能とされている。そして、回転止め部材１１６の先端には、キャップ１１０が着脱可能に装着され、このキャップ１１０により充填部材１０４が覆われ保護されている。
【００９１】
このような構成を有する塗布材押出容器２００は、その初期状態において、図１４に示すように、移動体１０６が後退限に位置した状態にあり、透明材より成る本体筒１０１を通して中間部材１０２の有色が目視可能とされている。
【００９２】
そして、この初期状態の塗布材押出容器２００にあっては、使用者によりキャップ１１０が取り外されて本体筒１０１と充填部材１０４とが繰り出し方向に相対回転されると、螺合部１０９の螺合作用が作動し、本体筒１０１に同期回転可能に係合する回転止め部材１１６の軸体１１６ｙの突条１１６ｅ及び移動体１０６の突条１０６ｄにより構成される回り止め部１５０との協働により、図１５に示すように、移動体１０６及びピストン１０７が前進し、充填部材１０４の吐出口１０４ｃから塗布材Ｌが吐出し出現して使用状態にされる。
【００９３】
この移動体１０６の前進時にあっては、雌螺子部材１０５のクリック歯部１０５ｓと回転止め部材１１６のクリック歯部１１６ｆが回転方向の係止及びその解除を繰り返して、クリック感が生じ、相対回転の度合いや移動体１０６の前進具合が使用者に感知され、当該クリック感により塗布材Ｌを適度に押し出すことができ塗布材Ｌの出し過ぎが防止される。
【００９４】
使用後にあって、本体筒１０１と充填部材１０４とが繰り戻し方向へ相対回転されると、螺合部１０９の螺合作用が働き、回り止め部１５０との協働により、移動体１０６及びピストン１０７が後退する。
【００９５】
この移動体１０６の後退時にあっては、雌螺子部材１０５のクリック歯部１０５ｓと回転止め部材１１６のクリック歯部１１６ｆが回転方向の係止及びその解除を繰り返して、クリック感が生じ、相対回転の度合いや移動体６の後退具合が使用者に感知され、当該クリック感により移動体１０６の戻し過ぎが防止される。なお、この移動体１０６の後退により、第一実施形態と同様に、充填部材１０４の吐出口１０４ｃより内側に所定の空間Ａが形成される。
【００９６】
そして、充填部材１０４内に塗布材Ｌが残っている場合には、この塗布材Ｌを使用状態とすべく、使用者により再度本体筒１０１と充填部材１０４とが繰り出し方向に相対回転され、以降は上記と同様な動作となり、このような動作が繰り返される。
【００９７】
また、本体筒１０１と充填部材１０４との繰り出し方向への相対回転により、図１６に示すように、移動体１０６及びピストン１０７が最大に前進すると、ピストン１０７が充填部材１０４の先端部の内面に当接し、塗布材Ｌが殆ど使い切られる。
【００９８】
このように、第二実施形態の塗布材押出容器２００によれば、第一実施形態と同様に、雌螺子部材１０５の円筒部１０５ｔと、回転止め部材１１６の円筒部１１６ｚとが、軸線方向に重なり合ってクリック係合するオーバーラップ区間を有する構成とされて、雌螺子部材１０５の円筒部１０５ｔのオーバーラップ区間内に設けられ外側に突設されたクリック歯部１０５ｓと、回転止め部材１１６の円筒部１１６ｚのオーバーラップ区間内に設けられ内側に突設されたクリック歯部１１６ｆとがクリック機構を構成し、これらのクリック歯部１０５ｓ，１１６ｆ同士が、充填部材１０４及び雌螺子部材１０５と回転止め部材１１６及び移動体１０６との相対回転に同期してクリック係合し、クリック感を付与する構成とされているため、クリック機構の成形が容易で部品精度が高く、良好なクリック感を安定して実現することができる。
【００９９】
なお、図２２に示すクリック歯部ベース１０５ｑを根元側に延在し支持部１０５ｒと兼用としたクリック歯部ベース２０５ｑ（図２５参照）を用い、これによりクリック歯部１０５ｓを半径方向に可撓性を有するように支持する構成の雌螺子部材２０５を用いても、同様な作用・効果を奏するというのはいうまでもない。
【０１００】
因みに、第二実施形態においては、回転止め部材１１６、中間部材１０２、本体筒１０１を別体としているが、本体筒１０１と中間部材１０２を一体として回転止め部材１１６を組み立てたり、本体筒１０１、中間部材１０２、回転止め部材１１６を一体としても良い。また、二色射出成形により一部品として、中間部材１０２を着色、本体筒１０１を透明又は本体筒１０１を軟らかい素材として質感を高めることができる。また、第一実施形態にあっても、回転止め部材１６を本体筒１に軸線方向に移動不能に装着し、又は、回転止め部材１６及び本体筒１を一体とし、本体筒を回転止め部材と兼用としても良い。
【０１０１】
以上、本発明をその実施形態に基づき具体的に説明したが、本発明は上記実施形態に限定されるものではなく、上記実施形態においては、雌螺子部材５，１０５，２０５のクリック歯部５ｓ，１０５ｓを半径方向に可撓性を有するように支持する構成としているが、雌螺子部材５，１０５，２０５のクリック歯部５ｓ，１０５ｓと回転止め部材１６，１１６のクリック歯部１６ｆ，１１６ｆの構成を逆とし、回転止め部材のクリック歯部を半径方向に可撓性を有するように支持する構成としても良い。以上のことから、第一実施形態にあっては、雌螺子部材５のクリック歯部５ｓ又は回転止め部材１６のクリック歯部１６ｆは、雌螺子部材５と回転止め部材１６とが何れの相対的位置関係にあっても、相手側のクリック歯部に係合し得る軸線方向長寸法を有する構成が採用されることになる。また、上記実施形態においては、回転止め部材１６，１１６の円筒部１６ｚ，１１６ｚを雌螺子部材５，１０５，２０５の円筒部５ｔ，１０５ｔの外側に位置する構成としているが、回転止め部材１６，１１６の円筒部１６ｚ，１１６ｚを雌螺子部材５，１０５，２０５の円筒部５ｔ，１０５ｔの内側に位置する構成としても良く、この場合には、回転止め部材のクリック歯部は外側に突設され、雌螺子部材のクリック歯部は内側に突設される。
【０１０２】
また、回転止め部材１６，１１６の円筒部１６ｚ，１１６ｚは、少なくとも前側に開口されていれば良く、また、雌螺子部材５，１０５，２０５の円筒部５ｔ，１０５ｔは、少なくとも後側に開口されていれば良い。
【０１０３】
また、上記実施形態においては、塗布材Ｌを、例えば、液状や、ゼリー状、ゲル状、ペースト状を含む練り状等の半固体や軟固形状等とした場合に、特に好適な塗布材押出容器１００，２００について述べているが、塗布材を、例えば、アイライナー、アイブロー、リップライナー、リップスティック等を始めとした種々の棒状化粧料、筆記用具等の棒状の芯等の棒状体とした場合に対しても適用可能である。この場合、充填部材の先端の開口は、棒状体の大きさとほぼ同程度の大きさの開口とされる。
【０１０４】
また、雄螺子、雌螺子は、間欠的に配される突起群又は螺旋状且つ間欠的に配される突起群のように螺子山と同様な働きをするものであっても良く、また、螺合突起は、連続する螺子山であっても良い。
【０１０５】
なお、本発明のクリック機構は、クリック歯部の形状を鈍角と鋭角を組み合わせて一方向のみの回転を許容するラチェット機構とすることもできる。この場合も、一方向の回転時に、歯部同士が回転方向の係止及びその解除を繰り返し、クリック感が生じることになる。
【図面の簡単な説明】
【０１０６】
【図１】本発明の第一実施形態に係る塗布材押出容器の初期状態を示す縦断面図である。
【図２】図１に示す状態から使用者の操作により充填部材が最大に前進した時の縦断面図である。
【図３】図２に示す状態から使用者の操作により移動体が前進し使用状態とした時の縦断面図である。
【図４】図３に示す状態から使用者の操作により充填部材が後退した時の縦断面図である。
【図５】図４に示す状態から使用者の操作により充填部材が最大に後退し続いて移動体が最大に後退した時の縦断面図である。
【図６】図１に示す状態から使用者の操作により充填部材が最大に前進し続いて移動体が最大に前進した時の縦断面図である。
【図７】図６に示す状態から使用者の操作により充填部材が最大に後退した時の縦断面図である。
【図８】図１のVIII-VIII線に沿う断面斜視図である。
【図９】図１〜図７中の回転止め部材を示す斜視図である。
【図１０】図９に示す回転止め部材の縦断面図である。
【図１１】図１〜図７中の雌螺子部材を示す斜視図である。
【図１２】図１１に示す雌螺子部材の縦断面図である。
【図１３】図１２に示す雌螺子部材の左側面図である。
【図１４】本発明の第二実施形態に係る塗布材押出容器の初期状態を示す縦断面図である。
【図１５】図１４に示す状態から使用者の操作により移動体が前進し使用状態とした時の縦断面図である。
【図１６】図１５に示す状態から使用者の操作により移動体が最大に前進した時の縦断面図である。
【図１７】図１４に示す塗布材押出容器の破断分解斜視図である。
【図１８】図１４に示す塗布材押出容器の本体筒、中間部材及び回転止め部材の破断分解斜視図である。
【図１９】図１４に示す塗布材押出容器の本体筒、中間部材及び回転止め部材の破断斜視図である。
【図２０】図１４〜図１６中の回転止め部材を示す斜視図である。
【図２１】図２０に示す回転止め部材の破断斜視図である。
【図２２】図１４〜図１６中の雌螺子部材を示す斜視図である。
【図２３】図２２に示す雌螺子部材の正面図である。
【図２４】図２３のXXIV-XXIV矢視図である。
【図２５】他の雌螺子部材を示す斜視図である。
【符号の説明】
【０１０７】
１，１０１…本体筒（容器後部）、３…先筒（容器前部）、４，１０４…充填部材、４ｃ，１０４ｃ…開口、５，１０５，２０５…雌螺子部材、５ｊ，１０５ｊ…雌螺子、５ｓ，１０５ｓ…雌螺子部材のクリック歯部、５ｔ，１０５ｔ…雌螺子部材の円筒部、６，１０６…移動体、６ｂ，１０６ｂ…雄螺子、６ｄ，１０６ｄ…移動体の回り止め、８…第一の螺合部（別の螺合部）、９…第二の螺合部（螺合部）、１６，１１６…回転止め部材、１６ｅ，１１６ｅ…回転止め部材の回り止め（形状部分）、１６ｆ，１１６ｆ…回転止め部材のクリック歯部、１６ｚ，１１６ｚ…回転止め部材の円筒部、５０，１５０…回り止め部、１００，２００…塗布材押出容器、１０９…螺合部、Ｌ…塗布材。
【図１】
2008206820.tif 000003
【図２】
2008206820.tif 000004
【図３】
2008206820.tif 000005
【図４】
2008206820.tif 000006
【図５】
2008206820.tif 000007
【図６】
2008206820.tif 000008
【図７】
2008206820.tif 000009
【図８】
2008206820.tif 000010
【図９】
2008206820.tif 000011
【図１０】
2008206820.tif 000012
【図１１】
2008206820.tif 000013
【図１２】
2008206820.tif 000014
【図１３】
2008206820.tif 000015
【図１４】
2008206820.tif 000016
【図１５】
2008206820.tif 000017
【図１６】
2008206820.tif 000018
【図１７】
2008206820.tif 000019
【図１８】
2008206820.tif 000020
【図１９】
2008206820.tif 000021
【図２０】
2008206820.tif 000022
【図２１】
2008206820.tif 000023
【図２２】
2008206820.tif 000024
【図２３】
2008206820.tif 000025
【図２４】
2008206820.tif 000026
【図２５】
2008206820.tif 000027